(57)【要約】  【課題】  この考案は男性の生殖器が勃起した状態を維持する時間を延長し、射精を遅らせることのできる装着リングを提供する。  【解決手段】  好ましい弾性と柔軟性を有し、適宜に広い幅を有する材質をリング状に形成し、且つ外周面の一部を延伸させて振動を発生させるモータを収納する収納部を形成してなり、該装着リングの中心孔の内壁に、男性性器に対して適宜な押圧を与えるための凸縁を環状に形成する。【選択図】  図１
0003114970.tif 000002
【実用新案登録請求の範囲】
【請求項１】
好ましい弾性と柔軟性を有し、適宜に広い幅を有する材質をリング状に形成し、且つ外周面の一部を延伸させて振動を発生させるモータを収納する収納部を形成してなり、男性性器に装着する装着リングにおいて、
該装着リングの中心孔の内壁に、男性性器に対して適宜な押圧を与えるための凸縁を環状に形成することを特徴とする装着リング。
【請求項２】
好ましい弾性と柔軟性を有し、適宜に広い幅を有する材質をリング状に形成してなり、外周面の一部を延伸させて振動を発生させるモータを収納する収納部を形成してなり、男性性器に装着する装着リングにおいて、
該装着リングの垂直面に、断面積を縮小し、該装着リングの全体的な弾性張力、収縮力を高めるための貫通孔を形成することを特徴とする装着リング。
【考案の詳細な説明】
【技術分野】
【０００１】
この考案は、俗に言う大人の玩具に関し、特に男性の生殖器に装着するリングに関する。
【背景技術】
【０００２】
工業、商業の発展した現今の社会においては、その繁忙さが故に人々は戦々恐々として己の精神を自己の仕事に注ぎ込んでいる。係る状態が長期にわたると夫婦の間の互いの関係が思わしくなくなり、気持ちが合わなくなり、多くの家庭問題を引き起こす。特に夫婦の間における性生活をないがしろにし、性生活が円滑に行われないことによって起こる影響は最も大きなものである。事業のために東奔西走し、精神的に緊迫した日々の生活において、如何にして快活な性生活を営むかがそれぞれの家庭において重視すべき問題となっている。趣きのある性生活を絶え間無く創造するために、業界では種種様々の形態の大人の玩具を製造し、消費者の選択に提供している。大人の玩具によって性生活を情緒あるものとし、十分な満足感を達成し、快活にすることができる。
【考案の開示】
【考案が解決しようとする課題】
【０００３】
この考案は男性の生殖器が勃起した状態を維持する時間を延長し、射精を遅らせることのできる装着リングを提供することを課題とする。
【課題を解決するための手段】
【０００４】
そこで、本考案者は従来の技術に見られる欠点に鑑み鋭意研究を重ねた結果、好ましい弾性と柔軟性を有し、適宜に広い幅を有する材質をリング状に形成し、且つ外周面の一部を延伸させて振動を発生させるモータを収納する収納部を形成してなり、該装着リングの中心孔の内壁に、男性性器に対して適宜な押圧を与えるための凸縁を環状に形成する装着リングの構造によって課題を解決できる点に着眼し、かかる知見に基づいて本発明を完成させた。
【０００５】
以下、この考案について具体的に説明する。
請求項１に記載する装着リングは、好ましい弾性と柔軟性を有し、適宜に広い幅を有する材質をリング状に形成し、且つ外周面の一部を延伸させて振動を発生させるモータを収納する収納部を形成してなり、男性性器に装着する装着リングにおいて、該装着リングの中心孔の内壁に、男性性器に対して適宜な押圧を与えるための凸縁を環状に形成する。
【０００６】
請求項２に記載する装着リングは、好ましい弾性と柔軟性を有し、適宜に広い幅を有する材質をリング状に形成してなり、外周面の一部を延伸させて振動を発生させるモータを収納する収納部を形成してなり、男性性器に装着する装着リングにおいて、
該装着リングの垂直面に、断面積を縮小し、該装着リングの全体的な弾性張力、収縮力を高めるための貫通孔を形成する。
【考案の効果】
【０００７】
本考案の装着リングは男性の生殖器が勃起した状態を維持する時間を延長し、射精を遅らせることができるという利点がある。
【考案を実施するための最良の形態】
【０００８】
この考案は、男性性器に装着する装着リングを提供するものであって、好ましい弾性と柔軟性を有し、適宜に広い幅を有する材質をリング状に形成し、且つ外周面の一部を延伸させて振動を発生させるモータを収納する収納部を形成してなり、該装着リングの中心孔の内壁に、男性性器に対して適宜な押圧を与えるための凸縁を環状に形成することによって、男性の生殖器が勃起した状態を維持する時間を延長し、射精を遅らせるという目的を、実現した。
係る構成の装着リングについて、その構造と特徴を詳述するために具体的な実施例を挙げ、以下に説明する。
【実施例】
【０００９】
この考案による装着リングは、図１、２に開示するように、装着リング１は、好ましい弾性と柔軟性を有し、適宜に広い幅を有する材質をリング状に形成してなり、外周面の一部が延伸して収納部２を形成し、振動を発生させるモータ３を収納する。装着リング１の中心孔４は、内壁に凸縁５を環状に形成する。また、装着リング１の垂直面の所定の位置に貫通孔６をする
【００１０】
図３に開示すように、装着リング１を使用する場合は、弾性性器７の根部に装着する。このため男性性器７が充血して勃起した後の静脈の血液の回流が遅くなる。また、装着リング１には貫通孔６を穿設することによって、装着リング１の断面積が縮小し、相対的に装着リング１の全体的な弾性張力、収縮力を高めることができる。このため男性性器７に装着した場合、心地よさの程度を確実に高めることができる。更に装着リング１の中心孔４内に形成した環状の凸縁５によって男性性器７に対して適宜な押し圧を与えるため、男性性器７内の血液が充満した状態を保持し、勃起した状態を維持する時間を延長し、射精を遅らせる効果を達成することができる。従って、夫婦の間の性生活を満足できるものにすることができる。
【００１１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１２】
【図１】この考案によるを装着リングの斜視図である。
【図２】図１に開示するＡ−Ａ線に沿った断面図である。
【図３】図１に開示する装着リングの使用態様を示した説明図である。
【符号の説明】
【００１３】
１                  装着リング
２                  収納部
３                  モータ
４                  中心孔
５                  凸縁
６                  貫通孔
７                  男性性器
【図１】
0003114970.tif 000003
【図２】
0003114970.tif 000004
【図３】
0003114970.tif 000005
【手続補正書】
【提出日】平成17年6月9日(2005.6.9)
【手続補正１】
【補正対象書類名】明細書
【補正対象項目名】０００２
【補正方法】変更
【補正の内容】
【０００２】
工業、商業の発展した現今の社会においては、その繁忙さが故に人々は戦々恐々として己の精神を自己の仕事に注ぎ込んでいる。係る状態が長期にわたると夫婦の間の互いの関係が思わしくなくなり、気持ちが合わなくなり、多くの家庭問題を引き起こす。特に夫婦の間における性生活をないがしろにし、性生活が円滑に行われないことによって起こる影響は最も大きなものである。事業のために東奔西走し、精神的に緊迫した日々の生活において、如何にして快活な性生活を営むかがそれぞれの家庭において重視すべき問題となっている。趣きのある性生活を絶え間無く創造するために、業界では種種様々の形態の大人の玩具を製造し、消費者の選択に提供している。
【手続補正２】
【補正対象書類名】明細書
【補正対象項目名】００１０
【補正方法】変更
【補正の内容】
【００１０】
図３に開示すように、装着リング１を使用する場合は、弾性性器７の根部に装着する。このため男性性器７が充血して勃起した後の静脈の血液の回流が遅くなる。また、装着リング１には貫通孔６を穿設することによって、装着リング１の断面積が縮小し、相対的に装着リング１の全体的な弾性張力、収縮力を高めることができる。このため男性性器７に装着した場合、心地よさの程度を確実に高めることができる。更に装着リング１の中心孔４内に形成した環状の凸縁５によって男性性器７に対して適宜な押し圧を与えるため、男性性器７内の血液が充満した状態を保持し、勃起した状態を維持する時間を延長し、射精を遅らせる効果を達成することができる。
【手続補正書】
【提出日】平成17年8月10日(2005.8.10)
【手続補正１】
【補正対象書類名】明細書
【補正対象項目名】０００１
【補正方法】変更
【補正の内容】
【０００１】
この考案は、男性の生殖器に装着するリングに関する。